(57)【要約】  【課題】  １回再生した同じ光ディスクを装填して再生させる場合に、マウント処理時のリトライ時間を短縮できるようにすることができる光ディスク記録再生装置を提供する。  【解決手段】  光ディスクが装填され、マウント処理を開始し、ＮＢＣＡへの読み出し処理を行った際に、リトライによりＮＢＣＡへの読み出し処理が成功した場合、その時の光ピックアップの読み出しずらし位置の情報を有するリトライ情報が光ディスクのＲＭＡに記録され、次回にＮＢＣＡへの読み出し処理を行うときは、前記記録したリトライ情報に基づいてＮＢＣＡへの読み出し処理が行われる。ＮＢＣＡの位置がずれた光ディスクを再びマウント処理する際に、マウント処理時のリトライ動作をスムーズに行ってリトライ時間を短縮できるようになって、装置の使用感が向上する。【選択図】      図３
2007087555.tif 000002
【特許請求の範囲】
【請求項１】
光ディスクが装填された後、光ディスク上で複製禁止に関連する情報を記録するための
領域であるＮＢＣＡに対する光ピックアップでの読み出し処理を行い、読み出し処理が失
敗したときに、光ピックアップの読み出し位置をずらしてリトライする機能を有し、光デ
ィスクに対して情報の記録／再生を行う光ディスク記録再生装置において、
光ディスク上の予め定めた記録管理領域からリトライ情報を読み出す処理を行うリトラ
イ情報読出手段と、前記読み出されたリトライ情報が有るか無いかを判定するリトライ情
報有無判定手段と、前記リトライ情報が無いと判定されたときＮＢＣＡへの読み出し処理
を行うＮＢＣＡ読出処理手段と、前記ＮＢＣＡへの読み出し処理が失敗したか成功したか
を判定するＮＢＣＡ読出処理判定手段と、前記ＮＢＣＡへの読み出し処理が失敗したと判
定されリトライ回数が所定回数以下でリトライを継続するときはリトライ開始位置に基づ
いて前記光ピックアップのリトライ位置を決定するリトライ位置決定手段と、前記ＮＢＣ
Ａへの読み出し処理が成功したと判定されたときは前記記録管理領域にリトライ情報を記
録させるリトライ情報記録手段と、前記リトライ情報有無判定手段によりリトライ情報が
有ると判定されたとき、前記リトライ情報によりリトライ開始位置を決定するリトライ開
始位置決定手段と、前記リトライ回数が所定回数を超えるときはリトライを停止させ当該
光ディスクは不良メディアであることを表明する不良メディア表明手段とを有するシステ
ムコントローラを備えたことを特徴とする光ディスク記録再生装置。
【請求項２】
光ディスクが装填された後、光ディスク上で複製禁止に関連する情報を記録するための
領域であるＮＢＣＡに対して光ピックアップでの読み出し処理を行い、読み出し処理が失
敗したときに、光ピックアップの読み出し位置をずらしてリトライする機能を有し、光デ
ィスクに対して情報の記録／再生を行う光ディスク記録再生装置において、
前記ＮＢＣＡへの読み出し処理を行った際に、前記リトライにより前記ＮＢＣＡへの読
み出し処理が成功した場合、その時の光ピックアップの読み出しずらし位置の情報を有す
るリトライ情報を当該光ディスクの空き領域に記録し、次回に前記ＮＢＣＡへの読み出し
処理を行うときは、前記記録したリトライ情報に基づいて前記ＮＢＣＡへの読み出し処理
を行うように制御するシステムコントローラを備えたことを特徴とする光ディスク記録再
生装置。
【請求項３】
前記リトライ情報は当該光ディスクの記録管理領域に記録することを特徴とする請求項
２に記載の光ディスク記録再生装置。
【請求項４】
前記システムコントローラは、光ディスク上の予め定めた記録管理領域からリトライ情
報を読み出す処理を行うリトライ情報読出手段と、前記読み出されたリトライ情報が有る
か無いかを判定するリトライ情報有無判定手段と、前記リトライ情報が無いと判定された
ときＮＢＣＡへの読み出し処理を行うＮＢＣＡ読出処理手段と、前記ＮＢＣＡへの読み出
し処理が失敗したか成功したかを判定するＮＢＣＡ読出処理判定手段と、前記ＮＢＣＡへ
の読み出し処理が失敗したと判定されリトライ回数が所定回数以下でリトライを継続する
ときはリトライ情報により得られたリトライ開始位置に基づいて前記光ピックアップのリ
トライ位置を決定するリトライ位置決定手段と、前記ＮＢＣＡへの読み出し処理が成功し
たと判定されたときは前記記録管理領域にリトライ情報を記録させるリトライ情報記録手
段と、前記リトライ情報有無判定手段によりリトライ情報が有ると判定されたとき、前記
リトライ情報によりリトライ開始位置を決定するリトライ開始位置決定手段とを有するこ
とを特徴とする請求項２に記載の光ディスク記録再生装置。
【請求項５】
前記システムコントローラは、前記リトライ回数が所定回数を超えるときはリトライを
停止させ、当該光ディスクは不良メディアであることを表明する不良メディア表明手段を
有することを特徴とする請求項４に記載の光ディスク記録再生装置。
【発明の詳細な説明】
【技術分野】
【０００１】
本発明は、光ディスクに対して情報の記録／再生を行う光ディスク記録再生装置に関し
、光ディスクが装填された後、光ディスク上のＮＢＣＡ（Narrow Burst Cutting Area）
に対する読み出し処理に関する。
【背景技術】
【０００２】
近年、映画等のような大量の映像音声データなどの情報を記録することができる光ディ
スクであるＤＶＤ（デジタル・バーサタイル・ディスク）が普及している。ＤＶＤの種類
としては、メーカ側で情報が記録され、ユーザ側では書き換えができないＤＶＤ−ＲＯＭ
、ユーザ側で情報を１回だけ記録できるＤＶＤ−ＲやＤＶＤ＋Ｒ、ユーザ側で記録可能で
規定回数まで書き換え可能なＤＶＤ−ＲＷやＤＶＤ＋ＲＷあるいはＤＶＤ−ＲＡＭなどが
知られている。これらのＤＶＤに記録された情報は、光ディスク再生装置（ＤＶＤプレイ
ヤ）または光ディスク記録再生装置（ＤＶＤレコーダ）で再生可能であり、ＤＶＤ−Ｒ、
ＤＶＤ＋Ｒ、ＤＶＤ−ＲＷ、ＤＶＤ＋ＲＷ、ＤＶＤ−ＲＡＭなどへの情報の記録は、光デ
ィスク記録再生装置で可能である。
【０００３】
ところで、どのＤＶＤ規格にも記録メディアを認識する仕組みが採用されており、この
仕組みはＤＶＤファミリーに共通である。即ち、当該光ディスクがＤＶＤのどの規格に準
拠したものであるかを示すBook Type というフラグが設定されている。一方で記録型のＤ
ＶＤ−Ｒ、ＤＶＤ＋Ｒ、ＤＶＤ−ＲＷ、ＤＶＤ＋ＲＷ、ＤＶＤ−ＲＡＭなどのＤＶＤメデ
ィアに特有なウォブリングトラックが、記録型ＤＶＤの認識手段として利用されている。
この認識手段により、不正なBook Type を持つ、即ち不正な手段で複製がなされた記録デ
ィスクは排除される仕組みである。
【０００４】
この他に複製禁止された情報を記録できないようにする仕組みとして記録ディスク上に
再生専用領域を設け、この再生専用領域に特定のデータ（ＭＫＢ；Media Key Block）を
記録し、更にディスク内周にバーコード状の信号であるＮＢＣＡ（Narrow Burst Cutting
Area）の信号を付加することにより、ＣＰＲＭ（Content Protection for Recordable M
edia ）と呼ばれる複製世代管理（コピーワンスコンテンツ対応）を可能としている。こ
れらの世代管理付加情報は、ディスクメーカにより光ディスク上に形成されるが、規格上
はオプションとされている。
【０００５】
図４は光ディスクであるＤＶＤの所定領域に設けられたＮＢＣＡの位置を説明するため
のＤＶＤの記録面を示す図である。図４において、４１はＤＶＤの記録面を示し、この記
録面４１にはＮＢＣＡ４２が設けられている。ＮＢＣＡ４２は、ディスク製造工程の完了
後に複製禁止に関連する情報を記録するための領域であり、センターホール４３の中心か
ら２２.７１±０.０６ｍｍ〜２３.５１±０.０６ｍｍの間に位置する。ＮＢＣＡ４２には
、円周方向に配置される連続した低反射率ストライブが書かれ、各ストライブは、半径方
向でＮＢＣＡ４２の幅全体に渡る。
【特許文献１】特開平８−１９５０３３号公報
【特許文献２】特開２００５−７８７５７号公報
【特許文献３】特開平４−２６９５６号公報
【発明の開示】
【発明が解決しようとする課題】
【０００６】
ところが、このようなＮＢＣＡはディスク製造段階で本来有るべき位置よりもずれて光
ディスク（ＤＶＤやＣＤ）の記録面に形成される場合がある。このような場合、従来の光
ディスク記録再生装置では、光ディスクが装填された後、マウント処理を開始し、光ピッ
クアップを移動させてＮＢＣＡが有るはずの位置に移動させるが、ＮＢＣＡが本来有るべ
き位置に無かった場合、光ピックアップはＮＢＣＡに対する読み取り処理（リード処理）
を失敗するので、光ピックアップの読み取り位置（リード位置）をずらして読み取り処理
を再び行う、所謂リトライを行う。
【０００７】
そして、再び、ＮＢＣＡに対する読み取り処理が再び失敗した場合にリトライを行う。
光ディスクのＮＢＣＡに対する読み取り処理において、例えば、光ピックアップの位置を
４回ずらして行って、４回目でＮＢＣＡのデータが読めたと仮定した場合、その光ディス
クを光ディスク記録再生装置から取り出した後、再び、その光ディスクの情報を再生した
いため、その光ディスクを装填すると、同じように前記マウント処理が開始して、光ピッ
クアップの位置を４回ずらして行って、４回目でＮＢＣＡのデータが読まれることになる
。
【０００８】
したがって、このような従来の光ディスク記録再生装置では、２回目以降に同じ光ディ
スクが装填された場合でも、１回目と同様、ＮＢＣＡが本来有るべき位置に無かった場合
、光ピックアップはＮＢＣＡに対する読み取り処理（リード処理）を失敗するので、光ピ
ックアップの読み取り位置（リード位置）をずらしてリード処理を再び行うリトライが毎
回実行されるので、このようなリトライが無駄となり、この結果、本編情報の再生開始ま
での時間がリトライの時間分だけ遅くなると言う課題が生じる。また、リトライが何回実
行されても、ＮＢＣＡのデータを読み取ることができない場合、リトライが継続されるだ
けで、処理が先に進まないので、当該光ディスクが不良メディアであるか装置側が悪いの
かが分からないとう言う課題も生じる。
【０００９】
特許文献１の従来技術は、再生専用領域に欠陥領域があるか否かを検出し、再生専用領
域に欠陥領域があった場合には、記録可能領域に交替領域を設定し、この交替領域に正し
いデータおよび交替領域の位置情報を記録するようにして、破棄せざるを得なかった光デ
ィスクも使用できるようにしているが、光ディスク記録再生装置におけるマウント処理時
のリトライについては開示されていない。
【００１０】
特許文献２の従来技術は、書換え不可能な第１管理領域と書換え可能な第２管理領域や
第３管理領域などを有し、通常は第１管理領域と第２管理領域を使用するが、繰り返し記
録または再生により第２管理領域が劣化し始めた場合、第２管理領域の情報を第３管理領
域へ複製記録し、これ以降は第２管理領域に代えて第３管理領域を用いることにより、光
ディスクの全てのデータを失うことを防ぐようにしているが、この従来技術も光ディスク
記録再生装置におけるマウント処理時のリトライについては開示されていない。
【００１１】
特許文献３の従来技術は、書換え可能領域と再生専用領域を有する光ディスクであって
、書換え可能領域に復元データを記録した交換セクタのアドレスと、再生不能のアドレス
を関連付けて記録するディスク管理領域を設けることにより、再生専用領域に再生不能と
なったセクタであっても確実に再生できるようにしているが、この従来技術も光ディスク
記録再生装置におけるマウント処理時のリトライについては開示されていない。
【００１２】
本発明は、上記のような課題を解決するためになされたもので、１回再生した同じ光デ
ィスクを装填して再生させる場合に、マウント処理時のリトライ時間を短縮できるように
し、また、リトライが所定回数を超えて実行されても、ＮＢＣＡのデータを読み取ること
ができない場合は、当該光ディスクが不良メディアであると言う表明を行うことができる
光ディスク記録再生装置を提供することを目的とする。
【課題を解決するための手段】
【００１３】
上記目的を達成するために、請求項１の発明は、光ディスクが装填された後、光ディス
ク上で複製禁止に関連する情報を記録するための領域であるＮＢＣＡに対する光ピックア
ップでの読み出し処理を行い、読み出し処理が失敗したときに、光ピックアップの読み出
し位置をずらしてリトライする機能を有し、光ディスクに対して情報の記録／再生を行う
光ディスク記録再生装置において、光ディスク上の予め定めた記録管理領域からリトライ
情報を読み出す処理を行うリトライ情報読出手段と、前記読み出されたリトライ情報が有
るか無いかを判定するリトライ情報有無判定手段と、前記リトライ情報が無いと判定され
たときＮＢＣＡへの読み出し処理を行うＮＢＣＡ読出処理手段と、前記ＮＢＣＡへの読み
出し処理が失敗したか成功したかを判定するＮＢＣＡ読出処理判定手段と、前記ＮＢＣＡ
への読み出し処理が失敗したと判定されリトライ回数が所定回数以下でリトライを継続す
るときはリトライ開始位置に基づいて前記光ピックアップのリトライ位置を決定するリト
ライ位置決定手段と、前記ＮＢＣＡへの読み出し処理が成功したと判定されたときは前記
記録管理領域にリトライ情報を記録させるリトライ情報記録手段と、前記リトライ情報有
無判定手段によりリトライ情報が有ると判定されたとき、前記リトライ情報によりリトラ
イ開始位置を決定するリトライ開始位置決定手段と、前記リトライ回数が所定回数を超え
るときはリトライを停止させ当該光ディスクは不良メディアであることを表明する不良メ
ディア表明手段とを有するシステムコントローラを備えたことを特徴とする光ディスク記
録再生装置を提供する。
【００１４】
この構成において、光ディスクが装填され、マウント処理を開始すると、リトライ情報
読出手段は、光ディスク上の記録管理領域からリトライ情報を読み出す処理を行う。とこ
ろが、この光ディスクに対する再生処理が初めての場合は、リトライ情報は、光ディスク
上の記録管理領域には未だ記録されていないので、リトライ情報有無判定手段は、前記読
み出されたリトライ情報が無いと判定し、次にＮＢＣＡ読出処理手段は、ＮＢＣＡへの読
み出し処理を行う。
【００１５】
ＮＢＣＡへの読み出し処理の結果、ＮＢＣＡ読出処理判定手段は、ＮＢＣＡへの読み出
し処理が失敗したか成功したかを判定し、前記ＮＢＣＡへの読み出し処理が失敗したと判
定され、リトライ回数が所定回数以下でリトライを継続するときは、リトライ位置決定手
段は、リトライ開始位置に基づいてリトライ位置を決める。リトライ回数が所定回数を超
えるときは、不良メディア表明手段は、リトライを停止させ、当該光ディスクは不良メデ
ィアであることを表明する。
【００１６】
ＮＢＣＡへの読み出し処理が成功したと判定されたときは、リトライ情報記録手段は、
記録管理領域にリトライ情報を記録させる。この結果、この光ディスクの記録管理領域に
はリトライ情報が記録されたことになるので、２回目以降の再生からは、そのリトライ情
報を使用することができる。
【００１７】
２回目以降に、この光ディスクを再生処理するために、この光ディスクが装填されると
、この光ディスクの記録管理領域からリトライ情報が読み出される。ここでは、リトライ
情報が記録管理領域に存在するので、リトライ情報が有ると判定され、リトライ開始位置
決定手段は、そのリトライ情報に基づいてリトライ開始位置を決定する。この後、光ディ
スク上のＮＢＣＡへの読み出し処理が行われ、前記ＮＢＣＡへの読み出し処理が成功した
と判定されると、本マウント処理は終了する。
【００１８】
この構成によれば、ＮＢＣＡの位置がずれた光ディスクをマウント処理した際に、ＮＢ
ＣＡの読み出し処理に要したリトライ情報を光ディスクの記録管理領域に記録しておくこ
とで、１回再生した同じ光ディスクを装填して再生させる場合において、当該光ディスク
を再びマウント処理する際に、マウント処理時のリトライ動作をスムーズに行ってリトラ
イ時間を短縮できるようになって、装置の使用感が向上する。また、リトライが所定回数
を超えて実行されても、ＮＢＣＡのデータを読み取ることができない場合は、当該光ディ
スクが不良メディアであると言う表明を行うことができるので、ユーザは当該光ディスク
が不良メディアであることが分かり、装置側が悪いのか光ディスク側が悪いのかが直ぐに
判別でき、使い勝手が良くなる。
【００１９】
請求項２の発明は、光ディスクが装填された後、光ディスク上で複製禁止に関連する情
報を記録するための領域であるＮＢＣＡに対して光ピックアップでの読み出し処理を行い
、読み出し処理が失敗したときに、光ピックアップの読み出し位置をずらしてリトライす
る機能を有し、光ディスクに対して情報の記録／再生を行う光ディスク記録再生装置にお
いて、前記ＮＢＣＡへの読み出し処理を行った際に、前記リトライにより前記ＮＢＣＡへ
の読み出し処理が成功した場合、その時の光ピックアップの読み出しずらし位置の情報を
有するリトライ情報を当該光ディスクの空き領域に記録し、次回に前記ＮＢＣＡへの読み
出し処理を行うときは、前記記録したリトライ情報に基づいて前記ＮＢＣＡへの読み出し
処理を行うように制御するシステムコントローラを備えたことを特徴とする光ディスク記
録再生装置を提供する。
【００２０】
この構成において、光ディスクが装填され、マウント処理を開始し、ＮＢＣＡへの読み
出し処理を行った際に、リトライにより前記ＮＢＣＡへの読み出し処理が成功した場合、
その時の光ピックアップの読み出しずらし位置の情報を有するリトライ情報が当該光ディ
スクの空き領域に記録され、次回に前記ＮＢＣＡへの読み出し処理を行うときは、前記記
録したリトライ情報に基づいて前記ＮＢＣＡへの読み出し処理が行われる。
【００２１】
この構成によれば、ＮＢＣＡの位置がずれた光ディスクをマウント処理した際に、ＮＢ
ＣＡの読み出し処理に要したリトライ情報を光ディスクの空き領域に記録しておくことで
、１回再生した同じ光ディスクを装填して再生させる場合において、当該光ディスクを再
びマウント処理する際に、マウント処理時のリトライ動作をスムーズに行ってリトライ時
間を短縮できるようになって、装置の使用感が向上する。
【００２２】
請求項３の発明では、請求項２の発明において、前記リトライ情報は当該光ディスクの
記録管理領域に記録するようにしたので、記録管理領域における空き領域を生かすことが
できる。
【００２３】
請求項４の発明では、請求項２の発明において、前記システムコントローラは、光ディ
スク上の予め定めた記録管理領域からリトライ情報を読み出す処理を行うリトライ情報読
出手段と、前記読み出されたリトライ情報が有るか無いかを判定するリトライ情報有無判
定手段と、前記リトライ情報が無いと判定されたときＮＢＣＡへの読み出し処理を行うＮ
ＢＣＡ読出処理手段と、前記ＮＢＣＡへの読み出し処理が失敗したか成功したかを判定す
るＮＢＣＡ読出処理判定手段と、前記ＮＢＣＡへの読み出し処理が失敗したと判定されリ
トライ回数が所定回数以下でリトライを継続するときはリトライ情報により得られたリト
ライ開始位置に基づいて前記光ピックアップのリトライ位置を決定するリトライ位置決定
手段と、前記ＮＢＣＡへの読み出し処理が成功したと判定されたときは前記記録管理領域
にリトライ情報を記録させるリトライ情報記録手段と、前記リトライ情報有無判定手段に
よりリトライ情報が有ると判定されたとき、前記リトライ情報によりリトライ開始位置を
決定するリトライ開始位置決定手段とを有する。
【００２４】
したがって、前記システムコントローラは、リトライ情報読出処理、リトライ情報有無
判定処理、ＮＢＣＡ読出処理処理、ＮＢＣＡ読出処理判定処理、リトライ位置決定処理、
リトライ情報記録処理、およびリトライ開始位置決定処理を実現でき、これにより、ＮＢ
ＣＡの位置がずれた当該光ディスクを再びマウント処理する際に、マウント処理時のリト
ライ動作をスムーズに行ってリトライ時間を短縮できるように制御することが可能になる
。
【００２５】
請求項５の発明では、請求項４の発明において、前記システムコントローラは、リトラ
イ回数が所定回数を超えるときはリトライを停止させ、当該光ディスクは不良メディアで
あることを表明する不良メディア表明手段を有するので、ユーザは当該光ディスクが不良
メディアであることが分かる。
【発明の効果】
【００２６】
以上のように本発明によれば、光ディスク上の予め定めた記録管理領域からリトライ情
報を読み出す処理を行うリトライ情報読出手段と、前記読み出されたリトライ情報が有る
か無いかを判定するリトライ情報有無判定手段と、前記リトライ情報が無いと判定された
ときＮＢＣＡへの読み出し処理を行うＮＢＣＡ読出処理手段と、前記ＮＢＣＡへの読み出
し処理が失敗したか成功したかを判定するＮＢＣＡ読出処理判定手段と、前記ＮＢＣＡへ
の読み出し処理が失敗したと判定されリトライ回数が所定回数以下でリトライを継続する
ときはリトライ開始位置に基づいて前記光ピックアップのリトライ位置を決定するリトラ
イ位置決定手段と、前記ＮＢＣＡへの読み出し処理が成功したと判定されたときは前記記
録管理領域にリトライ情報を記録させるリトライ情報記録手段と、前記リトライ情報有無
判定手段によりリトライ情報が有ると判定されたとき、前記リトライ情報によりリトライ
開始位置を決定するリトライ開始位置決定手段と、前記リトライ回数が所定回数を超える
ときはリトライを停止させ当該光ディスクは不良メディアであることを表明する不良メデ
ィア表明手段とを有するシステムコントローラを備えたので、ＮＢＣＡの位置がずれた光
ディスクをマウント処理した際に、ＮＢＣＡの読み出し処理に要したリトライ情報を光デ
ィスクの記録管理領域に記録しておくことで、１回再生した同じ光ディスクを装填して再
生させる場合において、当該光ディスクを再びマウント処理する際に、マウント処理時の
リトライ動作をスムーズに行ってリトライ時間を短縮できるようになって、装置の使用感
が向上する。また、リトライが所定回数を超えて実行されても、ＮＢＣＡのデータを読み
取ることができない場合は、当該光ディスクが不良メディアであると言う表明を行うこと
ができるので、ユーザは当該光ディスクが不良メディアであることが分かり、装置側が悪
いのか光ディスク側が悪いのかが直ぐに判別でき、使い勝手が良くなる。
【００２７】
また、本発明によれば、ＮＢＣＡへの読み出し処理を行った際に、リトライにより前記
ＮＢＣＡへの読み出し処理が成功した場合、その時の光ピックアップの読み出しずらし位
置の情報を有するリトライ情報を当該光ディスクの空き領域に記録し、次回に前記ＮＢＣ
Ａへの読み出し処理を行うときは、前記記録したリトライ情報に基づいて前記ＮＢＣＡへ
の読み出し処理を行うように制御するシステムコントローラを備えたので、ＮＢＣＡの位
置がずれた光ディスクをマウント処理した際に、ＮＢＣＡの読み出し処理に要したリトラ
イ情報を光ディスクの空き領域に記録しておくことで、１回再生した同じ光ディスクを装
填して再生させる場合において、当該光ディスクを再びマウント処理する際に、マウント
処理時のリトライ動作をスムーズに行ってリトライ時間を短縮できるようになって、装置
の使用感が向上する。
【発明を実施するための最良の形態】
【００２８】
以下、添付図面を参照しつつ、本発明の実施の形態について説明する。図１は本発明の
一実施形態に係る光ディスク記録再生装置の構成を示すブロック図である。
【００２９】
この光ディスク記録再生装置は、装置全体を制御するシステムコントローラ２２と、光
ディスク１を回転させるスピンドルモータ５と、光ディスク１に対して情報の書き込み／
読み出しを光学的に行う光ピックアップ２と、この光ピックアップ２を光ディスク１の半
径方向に移動させるためのスレッド３と、システムコントローラ２２の指示に応じて、モ
ータ駆動回路３４を通じてスピンドルモータ５、およびスレッド３を駆動すると共に、光
ピックアップ２に内蔵された対物レンズ（図示せず）を動かすことによりレーザ光の焦点
位置を光ディスク１の記録面に対して垂直方向および水平方向に移動させる制御を行うサ
ーボ制御部４とを備えている。
【００３０】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをバッファメモリとしてのＲＡＭ７に
格納するデジタル信号処理部８と、システムコントローラ２２の指示に応じてデジタル信
号処理部８から出力されたデータストリームの中からオーディオデータとサブピクチャデ
ータとビデオデータとを分離するストリーム分離部９とを備えている。
【００３１】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力してＭＰＥＧでデコード処理を行うビデオＭＰＥＧデコーダ１５と、この
ビデオＭＰＥＧデコーダ１５でのデコード処理を行うためにデータを一時的に格納するＲ
ＡＭ１４とを備えている。
【００３２】
また、この光ディスク記録再生装置は、システムコントローラ２２の指示に応じてビデ
オＭＰＥＧデコーダ１５から出力されたデータとサブピクチャデコーダ１３から出力され
たデータとを合成するビデオプロセッサ１７と、このビデオプロセッサ１７から出力され
た合成データを表示用のビデオ信号に変換して画像をディスプレイ装置２０に表示させる
ビデオエンコーダ１８と、オーディオデコーダ１１から出力されたデータをアナログのオ
ーディオ信号に変換して図示しない音声回路を介して例えばスピーカ１９に供給するＤ／
Ａ変換器１６とを備えている。
【００３３】
また、この光ディスク記録再生装置は、システムコントローラ２２に対して、記録指示
を与えるための記録キー、再生指示を与えるための再生キー、記録や再生の停止指示を与
えるための停止キーなど、各種操作キーを有するリモコン２１と、このリモコン２１の操
作キーよりも少ない操作キーを有する本体操作部（図示せず）とを備えている。また、こ
の光ディスク記録再生装置は、装置の各構成要素を制御したり、装置全体を制御したりす
るためのプログラムやデータが記憶された不揮発性メモリとしてのフラッシュＲＯＭ２３
と、このフラッシュＲＯＭ２３のプログラムやデータに従って演算処理を行いシステムコ
ントローラ２２を制御するＣＰＵ２４と、このＣＰＵ２４の演算処理に必要なデータを一
時的に格納するＲＡＭ２７とを備えている。
【００３４】
また、この光ディスク記録再生装置は、アンテナ２８に接続されるチューナ２９と、こ
のチューナ２９で選局されたテレビジョン放送のアナログの映像音声信号、あるいは図示
しないテレビジョン受信機や他の映像音声出力機器からの映像音声信号をデジタルの映像
音声データに変換するＡ／Ｄ変換回路３０と、前記映像音声データをＭＰＥＧでエンコー
ドするＭＰＥＧエンコーダ３１と、前記エンコードした映像音声データ（以下エンコード
データと言う）を一時的に所定量だけ格納するバッファメモリとしてのＲＡＭ３２と、記
録データ変調回路２５と接続するインターフェースであるＡＴＡＰＩ（AT Attachment Pa
cket Interface）３３と、このＡＴＡＰＩ３３から送られてきたエンコードデータを光デ
ィスク１に記録するために変調をかける記録データ変調回路２５と、この記録データ変調
回路２５により変調された変調データに基づいて光ピックアップ２から出射するレーザ光
を変調させるためのレーザ変調信号を光ピックアップ２に出力するレーザ変調回路２６と
を備えている。
【００３５】
システムコントローラ２２は、本実施形態の特徴とする構成要素として、光ディスク上
の予め定めた記録管理領域（ＲＭＡ）からリトライ情報を読み出す処理を行うリトライ情
報読出手段２２１と、前記読み出されたリトライ情報が有るか無いかを判定するリトライ
情報有無判定手段２２２と、前記リトライ情報が無いと判定されたときＮＢＣＡへの読み
出し処理を行うＮＢＣＡ読出処理手段２２３と、前記ＮＢＣＡへの読み出し処理が失敗し
たか成功したかを判定するＮＢＣＡ読出処理判定手段２２４と、前記ＮＢＣＡへの読み出
し処理が失敗したと判定されリトライ回数が所定回数以下でリトライを継続するときはリ
トライ情報により得られたリトライ開始位置に基づいて光ピックアップ２のリトライ位置
を決定するリトライ位置決定手段２２５と、前記ＮＢＣＡへの読み出し処理が成功したと
判定されたときは記録管理領域（ＲＭＡ）にリトライ情報を記録させるリトライ情報記録
手段２２６と、前記リトライ情報有無判定手段２２２によりリトライ情報が有ると判定さ
れたとき、前記リトライ情報によりリトライ開始位置を決定するリトライ開始位置決定手
段２２７と、前記リトライ回数が所定回数を超えるときはリトライを停止させ当該光ディ
スクは不良メディアであることを表明する不良メディア表明手段２２８とを有する。
【００３６】
図２はＤＶＤ−ＲＷタイプの光ディスクにおけるＲＭＡのフォーマットの構成図である
。図２に示すようにＤＶＤ−ＲＷタイプの光ディスクには、記録時のレーザパワーを最適
化するためにテストデータを記録するテスト領域であるＰＣＡ（Power Calibration Area
）、記録管理領域であるＲＭＡ（Recording Management Area）、リードイン領域、およ
びデータ領域が存在し、ＲＭＡには、ＲＭＡリードインとＲＭＤ（Recording Management
Data）が記録される。ＲＭＡリードインには、ドライブ製造者ＩＤやシリアル番号、デ
ィスクＩＤなどを含む。また、ＲＭＤは、ＯＰＣ（Optimum Power Control）関連情報や
データ領域情報、記録モード情報などを含む。ＲＭＤは、セット１〜セット２８までの２
８個のセットで構成され、各セットは５個のブロックから構成される。
【００３７】
各ブロックは、連結損失領域およびフィールド０〜フィールド１４を含む。各ブロック
の大きさは３２ＫＢであり、フィールド０〜フィールド１４にはＤＶＤ−ＲＷのモード（
インクリメンタル・モード、ディスク・アットワンス・モード、オーバライト・モード）
に応じて異なる情報が記録される。例えば、追記モードでありデータを順次追加記録でき
、データの記録が完了したときに、その情報をＲＭＡに記録する前記インクリメンタル・
モードにおいては、フィールド０に共通情報、フィールド１にＯＰＣ情報やＲＭＤセット
のポインタ情報、フィールド２にユーザ指定データや消去操作情報が記録される。その消
去操作情報とは、消去位置や消去回数を示す情報である。
【００３８】
なお、ここでは、ＤＶＤ−ＲＷタイプの光ディスクにおけるＲＭＡについて説明したが
、他のＤＶＤやＣＤで記録可能なタイプの光ディスクにおいてもＲＭＡが設けられている
ので、同様にリトライ情報をＲＭＡに記録させることができる。
【００３９】
図３は本実施形態においてマウント処理が開始してから終了するまでの処理を説明する
ためのフローチャートである。このフローチャートおよび図１、図２を参照してマウント
処理が開始してから終了するまでの処理について説明する。
【００４０】
先ず、ユーザにより再生すべき光ディスク１が装填されると、システムコントローラ２
２は、光ディスク１が装填されたことを検出し（ステップＳ１）、マウント処理を開始す
ると（ステップＳ２）、システムコントローラ２２のリトライ情報読出手段２２１は、サ
ーボ制御部４を制御して光ピックアップ２を、光ディスク１上の予め定めたＲＭＡ（詳し
くはＲＭＤ（記録管理データ）を記録する部分の領域）が存在する位置に設定し、ＲＭＡ
からリトライ情報を読み出させる処理を行う。即ち、光ピックアップ２は光ディスク１上
のＲＭＡからリトライ情報を読み出す処理を行う（ステップＳ３）。
【００４１】
ところが、この光ディスク１に対する再生処理が初めての場合は、リトライ情報は、光
ディスク１上のＲＭＡには未だ記録されていないので、システムコントローラ２２のリト
ライ情報有無判定手段２２２は、前記読み出されたリトライ情報が無いと判定し（ステッ
プＳ４）、次にＮＢＣＡ読出処理手段２２３は、サーボ制御部４を制御し、光ディスク１
上のＮＢＣＡが存在すると予想される位置に光ピックアップ２を設定し、ＮＢＣＡへのリ
ード処理（読み出し処理）を行う（ステップＳ６）。
【００４２】
ＮＢＣＡへのリード処理の結果、システムコントローラ２２のＮＢＣＡ読出処理判定手
段２２４は、前記ＮＢＣＡへの読み出し処理が失敗したか成功したかを判定し（ステップ
Ｓ７）、前記ＮＢＣＡへの読み出し処理が失敗したと判定され、リトライ回数が所定回数
以下でリトライを継続するときは（ステップＳ８）、リトライ位置決定手段２２５は、リ
トライ開始位置（最初に設定された光ピックアップ２の位置）に基づいて光ピックアップ
２のリトライ位置を決める（ステップＳ９）。前記リトライ回数が所定回数を超えるとき
は、不良メディア表明手段２２８は、リトライを停止させ、当該光ディスク１は不良メデ
ィアであることをディスプレイ装置２０に表明する（ステップＳ１３）。
【００４３】
ＮＢＣＡへの読み出し処理が成功したと判定されたときは（ステップＳ７）、システム
コントローラ２２のリトライ情報記録手段２２６は、サーボ制御部４を制御して光ピック
アップ２をＲＭＡに位置設定し、ＲＭＡにリトライ情報を記録させる（ステップＳ１１）
。この結果、この光ディスク１のＲＭＡにはリトライ情報が記録されたことになるので、
２回目以降の再生からは、そのリトライ情報を使用することができる。ＲＭＡにリトライ
情報を記録した後は、本マウント処理は終了する（ステップＳ１２）。
【００４４】
２回目にこの光ディスク１を再生処理するために光ディスク１が装填されると（ステッ
プＳ１）、１回目のマウント処理と同様にマウント処理が開始されると（ステップＳ２）
、光ディスク１のＲＭＡからリトライ情報が読み出される（ステップＳ３）。ここでは、
リトライ情報がＲＭＡに存在するので、リトライ情報が有ると判定され（ステップＳ４）
、システムコントローラ２２のリトライ開始位置決定手段２２７は、リトライ情報に基づ
いて光ピックアップ２のリトライ開始位置を決定する（ステップＳ５）。次に光ディスク
１上のＮＢＣＡへのリード処理（読み出し処理）が行われ（ステップＳ６）、ＮＢＣＡへ
のリード処理の結果、前記ＮＢＣＡへのリード処理が成功したと判定されると（ステップ
Ｓ７）、今回は再生２回目であるので（ステップＳ１０）、ＲＭＡにはリトライ情報が記
録されずに（ステップＳ１１）、本マウント処理は終了する（ステップＳ１２）。
【００４５】
以上説明したように本実施形態によれば、ＮＢＣＡの位置がずれた光ディスクをマウン
ト処理した際に、ＮＢＣＡの読み出し処理に要したリトライ情報を光ディスクの記録管理
領域に記録しておくことで、１回再生した同じ光ディスクを装填して再生させる場合にお
いて、当該光ディスクを再びマウント処理する際に、マウント処理時のリトライ動作をス
ムーズに行ってリトライ時間を短縮できるようになって、装置の使用感が向上する。また
、リトライが所定回数を超えて実行されても、ＮＢＣＡのデータを読み取ることができな
い場合は、当該光ディスクが不良メディアであると言う表明を行うことができるので、ユ
ーザは当該光ディスクが不良メディアであることが分かり、装置側が悪いのか光ディスク
側が悪いのかが直ぐに判別でき、使い勝手が良くなる。
【図面の簡単な説明】
【００４６】
【図１】本発明の一実施形態に係る光ディスク記録再生装置の構成を示すブロック図である。
【図２】ＤＶＤ−ＲＷタイプの光ディスクにおけるＲＭＡのフォーマットの構成図である。
【図３】前記実施形態においてマウント処理が開始してから終了するまでの処理を説明するためのフローチャートである。
【図４】光ディスクであるＤＶＤの所定領域に設けられたＮＢＣＡの位置を説明するためのＤＶＤの記録面を示す図である。
【符号の説明】
【００４７】
１    光ディスク
２    光ピックアップ
２２    システムコントローラ
２２１    リトライ情報読出手段
２２２    リトライ情報有無判定手段
２２３    ＮＢＣＡ読出処理手段
２２４    ＮＢＣＡ読出処理判定手段
２２５    リトライ位置決定手段
２２６    リトライ情報記録手段
２２７    リトライ開始位置決定手段
２２８    不良メディア表明手段
【図１】
2007087555.tif 000003
【図２】
2007087555.tif 000004
【図３】
2007087555.tif 000005
【図４】
2007087555.tif 000006